(57)【要約】      （修正有）【課題】信頼性の高い計時処理を行う電子機器を提供する。【解決手段】利用者が入力操作するための操作スイッチ１と、操作スイッチ１の操作に応じて各種制御を行う制御部２１と、この制御部２１と通信可能に接続するリアルタイムクロック２３と、リアルタイムクロック２３の駆動電力を供給するバックアップ電源３と、を備える操作パネル機器Ａであって、リアルタイムクロック２３には、計時処理用のデータを格納するレジスタ２３ａを設け、制御部２１は、操作パネル機器Ａの起動後に、レジスタ２３ａに格納されたデータを読み込み、読み込んだデータが正しいか否かを判定する判定処理を行う。【選択図】図３
2017142075.tif 000002
【特許請求の範囲】
【請求項１】
利用者が入力操作するための操作手段と、
この操作手段の操作に応じて各種制御を行う制御部と、
この制御部と通信可能に接続するリアルタイムクロックと、
このリアルタイムクロックの駆動電力を供給するバックアップ電源と、
を備える電子機器であって、
前記リアルタイムクロックには、計時処理用のデータを格納する記憶部を設け、
前記制御部は、前記電子機器の起動後に、前記データを読み込み、前記データが正しいか否かを判定する判定処理を行う
ことを特徴とする電子機器。
【請求項２】
前記制御部からの制御信号に基づいて表示を行う表示手段を備え、
前記制御部は、前記データが正しくないと判定した場合、前記記憶部のデータを予め定められた初期値に書き換えるとともに、時刻設定画面を前記表示手段に表示させる
ことを特徴とする請求項１に記載の電子機器。
【請求項３】
前記制御部は、前記記憶部に格納された所定領域のデータが、予め定められた値と同じか否かによって前記判定処理を行う
ことを特徴とする請求項１に記載の電子機器。
【発明の詳細な説明】
【技術分野】
【０００１】
本発明は、電子機器に関し、例えば、バックアップ用の電池を電源として計時処理を行う電子機器に関する。
【背景技術】
【０００２】
従来の電子機器において、デバイス内部に備えられたメモリに、イベント発生時の時刻情報を記録する装置として、リアルタイムクロックを備えており、例えば、特許文献１に開示されている。特許文献１に開示されているリアルタイムクロックは、発振回路、分周回路、計時回路、インターフェース回路、動作制御回路、イベント検出回路、およびイベント記憶メモリにより構成される。
【０００３】
このような構成のリアルタイムクロックにおいてイベント記憶メモリは、イベント検出回路により検出されたイベント発生の時刻情報と、発生したイベント固有の情報とを１つのイベントデータとして記憶する。
【０００４】
上記のような構成のリアルタイムクロックであれば、イベント記憶メモリに記憶されたイベント情報に基づいて、記録時刻に生じたイベントの特定も可能となる。
【先行技術文献】
【特許文献】
【０００５】
【特許文献１】特開２００３−１３２４７０号公報
【発明の概要】
【発明が解決しようとする課題】
【０００６】
しかしながら、特許文献１に開示される電子機器にあっては、リアルタイムクロックの電源系統として、電源プラグによるものや別装置からの電力供給を図るメイン電源と、一次電池または二次電池からの電力供給を図るバックアップ電源を備えるように構成されているものの、電圧低下や発振停止等の予期せぬ事態に対する対応策が講じられていない。
【０００７】
このため、バックアップ電源の交換や電圧低下等が原因で、イベント記憶メモリに対して誤った時刻データが書き込まれた場合があったとしても、記憶されたデータの正否判定を行うことができない。よって、時刻や時刻に基づいて記憶された特定のイベントデータの信頼性を高める上で改善の余地があった。
【０００８】
そこで本発明の目的は、上述課題に着目し、信頼性の高い計時処理を行う電子機器を提供することにある。
【課題を解決するための手段】
【０００９】
本発明の電子機器は、
利用者が入力操作するための操作手段と、
この操作手段の操作に応じて各種制御を行う制御部と、
この制御部と通信可能に接続するリアルタイムクロックと、
このリアルタイムクロックの駆動電力を供給するバックアップ電源と、
を備える電子機器であって、
前記リアルタイムクロックには、計時処理用のデータを格納する記憶部を設け、
前記制御部は、前記電子機器の起動後に、前記データを読み込み、前記データが正しいか否かを判定する判定処理を行う
ことを特徴とする。
【００１０】
また、前記制御部からの制御信号に基づいて表示を行う表示手段を備え、
前記制御部は、前記データが正しくないと判定した場合、前記記憶部のデータを予め定められた初期値に書き換えるとともに、時刻設定画面を前記表示手段に表示させる
ことを特徴とする。
【００１１】
また、前記制御部は、前記記憶部に格納された所定領域のデータが、予め定められた値と同じか否かによって前記判定処理を行う
ことを特徴とする。
【発明の効果】
【００１２】
本発明は、電子機器に関し、信頼性の高い計時処理を行う電子機器となる。
【図面の簡単な説明】
【００１３】
【図１】本発明の実施形態による電子機器の正面を示す図。
【図２】同上実施形態における電子機器の背面を示す図。
【図３】同上実施形態における回路構成を示す図。
【図４】同上実施形態における制御部の処理手順を示すフロー図。
【発明を実施するための形態】
【００１４】
以下、本発明の電子機器についての実施形態として、作業機械の操作パネル機器に適用したものを例に挙げて説明する。
【００１５】
図１から図３に示すように、操作パネル機器（電子機器）Ａは、操作スイッチ（操作手段）１と、マイクロコンピュータ２と、バックアップ電源３と、表示手段４と、を備えており、これら部品を筐体５内に収納される回路基板に実装している。また、この場合、操作パネル機器Ａは、本体である作業機械に取り付けられることで、コネクタ６を用いて外部接続し、作業機械Ｂからの各種信号や電源供給を受けることができる。
【００１６】
操作スイッチ１は、表示手段４とともに筐体５の表面側（正面側）に設けられ、ユーザの指先操作による押圧を検出するスイッチを適用できる。操作スイッチ１は、複数用意され、各操作スイッチ１の押圧によって、筐体５内の回路基板に実装される接点（タクトスイッチ）の接続状態を切り替えることで、操作信号としてマイクロコンピュータ２へ出力できる。
【００１７】
マイクロコンピュータ２は、操作スイッチ１からの操作信号や作業機械からの各種信号に応じて演算処理を行い、例えば、作業機械の各種設定、稼働状態の記録や管理、または表示手段４の制御などできる。マイクロコンピュータ２は、コネクタ６を介して外部（作業機械）と接続し、制御部２１と、メモリ２２と、図示しない入出力インターフェースとを設ける。また、前記回路基板に実装されるバックアップ電源３や振動発振器７に接続するリアルタイムクロック２３を設けている。
【００１８】
制御部２１は、ＣＰＵ（演算処理ユニット）を適用でき、予めメモリ２２に格納されたプログラムデータに基づいて作動する。制御部２１は、リアルタイムクロック２３とバス接続し信号をやり取りすることもできる。この場合、制御部２１は、コネクタ６を介して作業機械Ｂから電力供給を受けており、これを電源として駆動できる。従って、作業機械Ｂが停止状態の際には、制御部２１の稼働も停止される。
【００１９】
メモリ２２は、ＲＯＭやＲＡＭ等の記憶媒体からなり、前述のプログラムデータや各種設定値、演算値などを格納するもので、制御部２１とともに、作業機械Ｂからの給電によって作動する。
【００２０】
リアルタイムクロック２３は、振動発振器７からの電気信号に基づいて、計時処理を行う回路であって、計時用のカウンタや、設定データを格納するレジスタ（記憶部）２３ａを設けている。計時用のカウンタは、振動発振器７からの所定周波数の電気信号に基づいて、年月時分秒を各進数（１０進数、１２進数、６０進数）に対応しながらカウントし、計時処理するもので、バックアップ電源３からの電力供給に基づいて作動する。従って、リアルタイムクロック２３は、例えば、制御部２１が停止している際も計時処理を続けることができる。
【００２１】
レジスタ２３ａは、カウンタや設定データなどに使用しない領域のうち、所定領域（所定アドレス）に予め定められたデータ値を識別コードとして格納している。
【００２２】
バックアップ電源３は、例えば、リチウムイオン電池などのコイン型電池を適用でき、電力容量が満足する限りリアルタイムクロック２３を定常的に作動させるための電源として設けられる。また、この場合、バックアップ電源３は、筐体５の裏面側（表示面または操作面と反対側）に形成される電池蓋を外すことで、着脱可能に保持されつつ、電気的な接続がされている。電池蓋５１は、コネクタ６と同じ面に形成されており、バックアップ電源３を交換する際には、コネクタ６の接続が外されてから脱着される。
【００２３】
なお、バックアップ電源３として、前記回路基板に実装されるコンデンサ回路などを適用し、作業機械Ｂからの電力を蓄えて使用する構成も考えられる。
【００２４】
表示手段４は、制御部２１に基づいて作動する液晶表示パネルを適用でき、操作スイッチ１や作業機械Ｂからの情報に基づく機械の状態や設定状態、時刻や管理情報、メンテナンス情報などを表示できる。
【００２５】
これらの構成によって、作業機械Ｂに組み付けられるとともに、各種情報を表示したり設定したりできるインターフェースとなる操作パネル機器Ａとなる。
【００２６】
次に、図４を用いて作業機械Ｂの電源投入時の制御部２１の処理手順について説明する。
【００２７】
制御部２１は、コネクタ６を介して入力する信号に基づいて、作業機械Ｂの電源がオフ（停止）状態から稼働（オン）状態へ移行したか否かを判定する電源判定処理を行う（ステップＳ１）。なお、前記信号として制御部２１への駆動電力に基づいて電源判定処理を行うこともできる。
【００２８】
この電源判定処理の条件を満たした場合、即ち、電源がオフ（停止）状態から稼働（オン）状態へ移行した場合、制御部２１は、レジスタ２３ａの識別コードが予め定められた値であるか否かを判定する識別コード判定処理（判定処理）を行う（ステップＳ２）。なお、識別コードは、二進数で「０」または「１」の一方のみでない値が望ましく、複数個ずつの組み合わせからなるデータ列が望ましい。
【００２９】
次に制御部２１は、この識別コード判定処理の条件を満たした場合、即ち、レジスタ２３ａの識別コードが予め定められた値である場合には、カウンタを含むレジスタ２３ａに格納されたデータが確からしい値であるとして、リアルタイムクロック２３の通常の計時処理（ステップＳ３）によるカウンタ値に基づいて、各種プログラムを実行する。
【００３０】
また、制御部２１は、ステップＳ２の識別コード判定処理の条件を満たしていない場合、カウンタを含むレジスタ２３ａのデータ値が正しくない可能性があるものとして、レジスタ２３ａのデータ値を初期化処理する（ステップＳ４）。この場合、予めメモリ２２に格納された識別コードや、カウンタの初期値、各種設定データがレジスタ２３ａに格納されるように、レジスタ２３ａのデータ値を書き換える処理を行う。
【００３１】
次に制御部２１は、表示手段４に時刻設定画面を表示させ、利用者の操作スイッチ１の操作による時刻調整を促す処理を行う（ステップＳ５）。従って、正しくない可能性があるカウンタ値によって各種プログラムがなされないようにできる。また、利用者は、計時処理の異常に迅速に気が付くことができる。
【００３２】
なお、制御部２１は、この際、時刻設定がなされるまでの間を異常モードとして仮の計時処理を行い、時刻調整後に自動で差分時間に基づく各種データの補正処理を行うことも考えられる。
【００３３】
また、ステップＳ５による時刻調整が行われた後は、ステップＳ３の通常の計時処理を行う。
【００３４】
制御部２１は、これら処理を行うことによって、起動毎に正確なカウンタ値であるか否かを推測できるため、信頼性の高い計時処理を行うことになる。また、電池容量が少なく駆動電力が不安定な場合や、電池交換がなされた際に、電源状態が不安定になりレジスタのデータ値が不定になる場合であっても、異常状態を判別できるため、信頼性の高い計時処理を行うことになる。
【００３５】
また、ステップＳ２の識別コード判定処理とともに、カウンタ値が異常値であるか否かを判定する異常値判定処理を行うことによって、信頼性を更に高めることができる。例えば、「月」データが０１から１２まで、「日」データが、０１から３１まで、「時」データが００から２３まで、「分」データが００から５９までの範囲外である場合に、カウンタ値が異常状態であることを判別できる。
【００３６】
斯かる操作パネル機器Ａにあっては、
利用者が入力操作するための操作スイッチ１と、
この操作スイッチの操作に応じて各種制御を行う制御部２１と、
この制御部２１と通信可能に接続するリアルタイムクロック２３と、
このリアルタイムクロック２３の駆動電力を供給するバックアップ電源３と、
を備える操作パネル機器Ａであって、
リアルタイムクロック２３には、計時処理用のデータを格納するレジスタ２３ａを設け、制御部２１は、操作パネル機器Ａの起動後に、レジスタ２３ａに格納されたデータを読み込み、前記データが正しいか否かを判定する判定処理（ステップＳ２）を行う。
【００３７】
従って、電源からの電力供給が不安定な場合が生じても、制御部２１によって起動毎にレジスタ２３ａのデータ異常を判別でき、信頼性が高い計時処理を行う電子機器となる。
【００３８】
また、制御部２１からの制御信号に基づいて表示を行う表示手段４を備え、制御部２１は、前記データが正しくないと判定した場合、レジスタ２３ａのデータを予め定められた初期値に書き換えるとともに、時刻設定画面を表示手段４に表示させることによって、利用者は、迅速に異常状態に気が付き、また、復帰処理の操作をすぐにできる。
【００３９】
また、制御部２１は、レジスタ２３ａに格納された所定領域のデータが、予め定められた値と同じか否かによって前記判定処理（ステップＳ２）を行う。従って、制御部２１が起動する毎に、計時用のカウンタを含むレジスタ２３ａ内のデータについて簡単な処理でチェックできるため、信頼性の高い計時処理を行う電子機器となる。
【００４０】
なお、本発明の電子機器の電池収納構造を上述した実施の形態の構成にて例に挙げて説明したが、本発明はこれに限定されるものではなく、他の構成においても、本発明の要旨を逸脱しない範囲において種々の改良、並びに表示の変更が可能なことは勿論である。
【産業上の利用可能性】
【００４１】
本発明は、電子機器に関し、特に時刻やスケジュール機能を有し、バックアップ電源として電池が必要な電子機器に好適である。
【符号の説明】
【００４２】
Ａ    操作パネル機器（電子機器）
Ｂ    作業機械（本体）
１    操作スイッチ（操作手段）
２    マイクロコンピュータ（制御部）
２１  制御部
２２  メモリ
２３  リアルタイムクロック
２３ａ  レジスタ（記憶部）
３    バックアップ電源
４    表示手段
５    筐体
５１  電池蓋
６    コネクタ
７    振動発振器
【図１】
2017142075.tif 000003
【図２】
2017142075.tif 000004
【図３】
2017142075.tif 000005
【図４】
2017142075.tif 000006